【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
外部装置と無線による双方向通信が可能な無線通信手段を有するストロボ装置であって、
複数の動作モードのいずれかを設定する設定手段と、
前記無線通信手段を介して充電完了を前記外部装置へ通知する通知手段と、
前記外部装置から前記無線通信手段を介して受信した発光指示に応じてストロボを発光する発光手段と、
前記設定手段により特定の動作モードが設定されている間は、前記通知手段による充電完了の通知を行わないように制御する制御手段と、を備えることを特徴とするストロボ装置。
【請求項２】
前記設定手段は、前記外部装置から前記無線通信手段を介して受信した信号によって動作モードを設定することを特徴とする請求項１に記載のストロボ装置。
【請求項３】
前記制御手段は、前記特定の動作モードが設定されている間は、前記無線通信手段に、前記外部装置が主導の片方向通信を行わせることを特徴とする請求項１または２に記載のストロボ装置。
【請求項４】
撮像装置と通信可能なマスターストロボ装置と、前記マスターストロボ装置と双方向の無線通信が可能なスレーブストロボ装置とを有するストロボシステムであって、
前記スレーブストロボ装置は、
複数の動作モードのいずれかを設定する設定手段と、
前記無線通信を介して前記マスターストロボ装置へ充電完了を通知する通知手段と、
前記マスターストロボ装置から前記無線通信を介して受信した発光指示に応じてストロボを発光する発光手段と、
前記設定手段により特定の動作モードが設定されている間は、前記通知手段による充電完了の通知を行わないように制御する制御手段と、を備え、
前記マスターストロボ装置は、
前記スレーブストロボ装置から前記通知手段により通知された充電完了と前記マスターストロボ装置の充電の状態に基づいて前記ストロボシステムの充電完了を示す信号を前記撮像装置へ送信する送信手段と、
前記撮像装置からの指示に応じてストロボ光源を駆動するとともに、前記発光指示を前記無線通信を介して前記スレーブストロボ装置に送信する制御手段と、を備えることを特徴とするストロボシステム。
【請求項５】
前記送信手段は、複数のスレーブストロボ装置が前記マスターストロボ装置と前記無線通信により接続されている場合、自身が充電完了の状態であり、前記複数のスレーブストロボ装置のすべてから充電完了を通知された場合に、前記ストロボシステムの充電完了を示す信号を前記撮像装置へ送信することを特徴とする請求項４に記載のストロボシステム。
【請求項６】
撮像装置を含むマスター側装置と、前記マスター側装置と双方向の無線通信が可能なストロボ装置とを有する撮像システムであって、
前記マスター側装置と前記ストロボ装置に、第１の動作モードと第２の動作モードを含む複数の動作モードのいずれかを設定する設定手段と、
前記ストロボ装置から、前記無線通信を介して充電完了を前記マスター側装置へ通知する通知手段と、
前記ストロボ装置において、前記無線通信を介して前記マスター側装置から受信した発光指示に応じてストロボを発光する発光手段と、
前記ストロボ装置において、前記設定手段により前記第１の動作モードが設定されている間は、前記通知手段による充電完了の通知を行わないように制御する制御手段と、
前記マスター側装置において、前記第１の動作モードが設定されている場合は前記充電完了が通知されたか否かに関わらずユーザの撮影操作に応じて前記発光指示を前記無線通信により送信して撮影を実行し、前記第２の動作モードが設定されている場合は前記充電完了の通知を確認してから前記発光指示の送信と撮影を実行する制御手段と、を備えることを特徴とする撮像システム。
【請求項７】
前記設定手段は、
前記撮像装置において、前記複数の動作モードのうちの一つをユーザの設定操作に応じて設定する手段と、
前記設定操作に応じて設定された動作モードを前記撮像装置から前記ストロボ装置に通知する手段と、を備える、ことを特徴とする請求項６に記載の撮像システム。
【請求項８】
前記マスター側装置は、前記撮像装置と接続されたマスターストロボ装置を有し、
前記マスターストロボ装置が前記ストロボ装置との前記無線通信を行うことを特徴とする請求項６または７に記載の撮像システム。
【請求項９】
前記制御手段は、
前記マスターストロボ装置において、自身が充電完了の状態であり、前記無線通信により接続されているストロボ装置のすべてから充電完了を通知された場合に、充電完了を示す信号を前記撮像装置へ送信し、
前記撮像装置において、前記第１の動作モードが設定されている場合は前記マスターストロボ装置から充電完了を示す信号を受信したか否かに関わらず前記発光指示の送信と撮影を実行し、前記第２の動作モードが設定されている場合は前記マスターストロボ装置から充電完了を示す信号を受信したことを確認してから前記発光指示の送信と撮影を実行する、ことを特徴とする請求項８に記載の撮像システム。
【請求項１０】
ストロボ装置の充電完了を通知する信号を無線通信で受信する受信手段と、
撮像装置からの発光指示に応じた信号を前記ストロボ装置に無線通信で送信する送信手段と、
前記受信手段により前記充電完了を通知する信号を受信した後で、前記送信手段により前記撮像装置からの前記発光指示に応じた信号を送信する第１のモードと、前記受信手段により前記充電完了を通知する信号を受信することなく、前記送信手段により前記撮像装置からの前記発光指示に応じた信号を送信する第２のモードと、を選択的に制御する制御手段と、を有することを特徴とする無線通信装置。
【請求項１１】
前記制御手段は、前記第１のモードでは前記ストロボ装置との双方向通信を行うように制御し、前記第２のモードでは前記ストロボ装置への片方向通信を行うように制御することを特徴とする請求項１０に記載の無線通信装置。
【請求項１２】
前記制御手段は、前記第１のモードと前記第２のモードのいずれかを前記撮像装置の動作モードに応じて選択することを特徴とする請求項１０または１１に記載の無線通信装置。
【請求項１３】
外部装置と無線による双方向通信が可能な無線通信手段を有するストロボ装置の制御方法であって、
設定手段が、複数の動作モードのいずれかを設定する工程と、
通知手段が、前記無線通信手段を介して充電完了を前記外部装置へ通知する工程と、
発光手段が、前記外部装置から前記無線通信手段を介して受信した発光指示に応じてストロボを発光する工程と、
制御手段が、前記設定する工程により特定の動作モードが設定されている間は、前記通知する工程による充電完了の通知を禁止する工程と、を有することを特徴とするストロボ装置の制御方法。
【請求項１４】
撮像装置と通信可能なマスターストロボ装置と、前記マスターストロボ装置と双方向の無線通信が可能なスレーブストロボ装置とを有するストロボシステムの多灯制御方法であって、
前記スレーブストロボ装置において、
設定手段が、複数の動作モードのいずれかを設定する工程と、
通知手段が、前記無線通信を介して前記マスターストロボ装置へ充電完了を通知する工程と、
発光手段が、前記マスターストロボ装置から前記無線通信を介して受信した発光指示に応じてストロボを発光する工程と、
制御手段が、前記設定する工程により特定の動作モードが設定されている間は、前記通知する工程による充電完了の通知を禁止する工程と、
前記マスターストロボ装置において、
送信手段が、前記スレーブストロボ装置から前記通知手段により通知された充電完了と前記マスターストロボ装置の充電の状態に基づいて前記ストロボシステムの充電完了を示す信号を前記撮像装置へ送信する工程と、
駆動手段が、前記撮像装置からの指示に応じてストロボ光源を駆動するとともに、前記発光指示を前記無線通信を介して前記スレーブストロボ装置に送信する工程と、を有することを特徴とする多灯制御方法。
【請求項１５】
撮像装置を含むマスター側装置と、前記マスター側装置と双方向の無線通信が可能なストロボ装置とを有する撮像システムの多灯制御方法であって、
設定手段が、前記マスター側装置と前記ストロボ装置に、第１の動作モードと第２の動作モードを含む複数の動作モードのいずれかを設定する工程と、
前記ストロボ装置の通知手段が、前記無線通信を介して前記マスター側装置へ充電完了を通知する工程と、
前記ストロボ装置の発光手段が、前記マスター側装置から前記無線通信を介して受信した発光指示に応じてストロボを発光する工程と、
前記ストロボ装置の制御手段が、前記設定する工程により前記第１の動作モードが設定されている間は、前記通知する工程による充電完了の通知を禁止する工程と、
前記マスター側装置の制御手段が、前記第１の動作モードが設定されている場合は前記充電完了が通知されたか否かに関わらずユーザの撮影操作に応じて前記発光指示を前記無線通信により送信して撮影を実行し、前記第２の動作モードが設定されている場合は前記充電完了の通知を確認してから前記発光指示の前記送信と撮影を実行する工程と、を有することを特徴とする多灯制御方法。
【請求項１６】
ストロボ装置の充電完了を通知する信号を無線通信で受信する受信手段と、撮像装置からの発光指示に応じた信号を前記ストロボ装置に無線通信で送信する送信手段と、を有する無線通信装置の制御方法であって、
前記受信手段により前記充電完了を通知する信号を受信した後で、前記送信手段により前記撮像装置からの前記発光指示に応じた信号を送信する第１のモードと、前記受信手段により前記充電完了を通知する信号を受信することなく、前記送信手段により前記撮像装置からの前記発光指示に応じた信号を送信する第２のモードと、を選択的に制御することを特徴とする無線通信装置の制御方法。
【手続補正２】
【補正対象書類名】明細書
【補正対象項目名】発明の名称
【補正方法】変更
【補正の内容】
【発明の名称】ストロボ装置およびその制御方法、ストロボシステム、撮像システム、多灯制御方法、無線通信装置およびその制御方法
【手続補正３】
【補正対象書類名】明細書
【補正対象項目名】０００７
【補正方法】変更
【補正の内容】
【０００７】
上記目的を達成するために本発明の位置態様によるストロボ装置は以下の構成を備える。すなわち、
外部装置と無線による双方向通信が可能な無線通信手段を有するストロボ装置であって、
複数の動作モードのいずれかを設定する設定手段と、
前記無線通信手段を介して充電完了を前記外部装置へ通知する通知手段と、
前記外部装置から前記無線通信手段を介して受信した発光指示に応じてストロボを発光する発光手段と、
前記設定手段により特定の動作モードが設定されている間は、前記通知手段による充電完了の通知を行わないように制御する制御手段と、を備える。